(57)【要約】【課題】ペットボトル又は飲料缶に装着して、瓶入りの飲料を瓶から直接に飲むかのような感覚を与える飲み口具を提供すること。【解決手段】飲み口部の下に着脱部を設けた飲み口具を提供する。飲み口部は、瓶の飲み口と類似の形状とし、表面を平滑にする。飲み口部の表面をガラス製又はセラミック製とすることが好ましい。着脱部は、ペットボトル用にはねじ溝又はねじ山を設けてペットボトルの飲み口と着脱し、飲料缶用には缶の上部に合わせた形状にして缶の上部と着脱する。【選択図】図２
0003170374.tif 000002
【実用新案登録請求の範囲】
【請求項１】
上方に飲み口部を、下方に着脱部を備えた管状体であり、
前記飲み口部は、その外縁が前記管状体の管の内面から３ｍｍ以上離れた突起部を有し、
前記飲み口部のうち管の外周側は表面平滑であり、
前記着脱部は、ペットボトルの飲み口に着脱可能なねじ溝又はねじ山を有することを特徴とする、ペットボトル用の飲み口具。
【請求項２】
ポリエチレンテレフタレート製であることを特徴とする、請求項１に記載のペットボトル用の飲み口具。
【請求項３】
前記飲み口部は、少なくともその表面がガラス製又はセラミック製であることを特徴とする、請求項１に記載のペットボトル用の飲み口具。
【請求項４】
管状の飲み口部の下に略円錐台状又は略円錐台の上面に管状部を付した着脱部を付したものであり、
前記飲み口部は、その外縁が前記管状の管の内面から３ｍｍ以上離れた突起部を有し、
前記飲み口部のうち管の外周側は表面平滑であり、
前記脱着部は、飲料缶の上縁に着脱可能であり、飲料缶の上縁に密着するものであることを特徴とする、飲料缶用の飲み口具。
【請求項５】
管状の飲み口部の下に円盤状又は円盤に管状部を付した形状の着脱部を付したものであり、
前記飲み口部は、その外縁が前記管状の管の内面から３ｍｍ以上離れた突起部を有し、
前記飲み口部のうち管の外周側は表面平滑であり、
前記脱着部は、飲料缶の上縁に着脱可能であり、飲料缶の上縁に密着するものであることを特徴とする、飲料缶用の飲み口具。
【請求項６】
前記飲み口部は、少なくともその表面がガラス製又はセラミック製であることを特徴とする、請求項４又は５に記載の飲料缶用の飲み口具。
【考案の詳細な説明】
【技術分野】
【０００１】
本考案は、ジュース等の飲用時に用いる飲み口具に関するものである。
【背景技術】
【０００２】
ジュース等の飲料は、多くの場合、ペットボトル又は飲料缶に入れられて販売されている。コップ等に注ぐことなくペットボトル又は飲料缶から直接に飲用する場合には、飲み心地が悪く、飲料の味わいを満喫することができない。
ペットボトルの場合には、飲み口にねじ山があり平滑でないこと及び飲み口部分が薄いため唇に触れて安定しないことが問題となる。また、飲み口部分の材質として、ポリエチレンテレフタレートはガラスやセラミックスに比して好ましくない。
飲料缶の場合には、飲み口のための凸部がなく飲みづらいこと及び飲み口部分が飲料缶の上縁の形状であることが問題となる。また、飲み口部分の材質として、金属はガラスやセラミックスに比して好ましくない。
これに対し、瓶入りの飲料の場合には、いわゆる「ラッパ飲み」が知られており、瓶から直接に飲んでも飲み心地がよいと言われている。
【０００３】
特許文献１には、ペットボトルのねじ山が口に当たらないようにして飲み口を改善する器具が開示されている。しかし、飲み口部分の形状及び材質については具体的な開示がされておらず、飲み心地の改善が不十分なものであった。
【０００４】
特許文献２には、飲料缶に装着してコップで飲むかのような感覚を与える飲み口具が開示されている。しかし、瓶の飲み口と異なる形状であり、いわゆる「ラッパ飲み」の感覚を得られるものではない。
【先行技術文献】
【特許文献】
【０００５】
【特許文献１】特開２００６−２４０６３３号公報
【特許文献２】登録実用新案３０６１４２７号公報
【考案の概要】
【考案が解決しようとする課題】
【０００６】
解決しようとする問題点は、ペットボトル又は飲料缶に装着して、瓶入りの飲料を瓶から直接に飲むかのような感覚を与える飲み口具を提供することである。
【課題を解決するための手段】
【０００７】
本考案のペットボトル用の飲み口具は、
上方に飲み口部を、下方に着脱部を備えた管状体であり、
前記飲み口部は、その外縁が前記管状体の管の内面から３ｍｍ以上離れた突起部を有し、
前記飲み口部のうち管の外周側は表面平滑であり、
前記着脱部は、ペットボトルの飲み口に着脱可能なねじ溝又はねじ山を有することを特徴とする。
着脱部をペットボトルの飲み口にねじ込んで固定し、飲み口部から飲用する。
図１は、飲み口部を示す図である。飲み口部２の表面のうち図において太線で示した平滑部４は平滑であり、飲用の際に唇に当たって飲み心地を悪くしてしまうような凹凸（１ｃｍ以下の幅で、０．５ｍｍ以上の高さの突起又は０．５ｍｍ以上深さの溝若しくは孔）を持たない。図においてｄで示した突起部３の外縁から管状体の管の内面までの距離は３ｍｍ以上である。唇に触れて安定しそのままでおいしく飲用できるだけの厚みである。
【０００８】
本考案のペットボトル用の飲み口具は、
ポリエチレンテレフタレート製であることを特徴とする。
ペットボトルを、飲み口具を装着した状態でゴミとして廃棄してしまった場合において、飲み口具がペットボトルと同一材質であるので、問題なく処分することができる。
【０００９】
本考案のペットボトル用の飲み口具は、
前記飲み口部は、少なくともその表面がガラス製又はセラミック製であることを特徴とする。
唇に当たる感触が、瓶と同様になり、飲み心地が良くなる。
【００１０】
本考案の飲料缶用の飲み口具は、
管状の飲み口部の下に略円錐台状又は略円錐台の上面に管状部を付した着脱部を付したものであり、
前記飲み口部は、その外縁が前記管状の管の内面から３ｍｍ以上離れた突起部を有し、
前記飲み口部のうち管の外周側は表面平滑であり、
前記脱着部は、飲料缶の上縁に着脱可能であり、飲料缶の上縁に密着するものであることを特徴とする。
着脱部を飲料缶の周縁に装着して固定し、飲み口部から飲用する。
【００１１】
本考案の飲料缶用の飲み口具は、
管状の飲み口部の下に円盤状又は円盤に管状部を付した形状の着脱部を付したものであり、
前記飲み口部は、その外縁が前記管状の管の内面から３ｍｍ以上離れた突起部を有し、
前記飲み口部のうち管の外周側は表面平滑であり、
前記脱着部は、飲料缶の上縁に着脱可能であり、飲料缶の上縁に密着するものであることを特徴とする。
着脱部の形状は、略円錐台状の外に、円盤状のものも考えられる。
【００１２】
本考案の飲料缶用の飲み口具は、
前記飲み口部は、少なくともその表面がガラス製又はセラミック製であることを特徴とする。
【考案の効果】
【００１３】
本考案の飲み口具は、瓶入りの飲料を瓶から直接に飲むかのような感覚を与える。
【図面の簡単な説明】
【００１４】
【図１】図１は、飲み口部を示す図である。
【図２】図２は、ペットボトル用の飲み口具の例を示す図である。（実施例１）
【図３】図３は、ペットボトル用の飲み口具の例を示す図である。（実施例２）
【図４】図４は、飲料缶用の飲み口具の例を示す図である。（実施例３）
【図５】図５は、飲料缶用の飲み口具の例を示す図である。（実施例４）
【考案を実施するための形態】
【００１５】
ペットボトル用の飲み口具の実施例１並びに実施例２及び飲料缶用の飲み口具の実施例３を示す。
【実施例１】
【００１６】
図２は、ペットボトル用の飲み口具の例を示す図である。（ａ）は斜視図である。飲み口具１は上部の飲み口部２及び下部の着脱部５から構成されている。
（ｂ）は断面図である。着脱部５にはねじ溝６が設けられ、飲み口具１がペットボトルの飲み口に着脱される。なお、ねじ溝６に替えて（ｃ）のようにねじ山７を設けてもよい。
【００１７】
飲み口部２は、ガラス製であり、唇に触れた時に瓶と同じ感覚を与える。なお、飲み口部２の表面がガラス製であれば、全体がガラス製でなくてもよい。また、セラミック製としても同様の効果を得ることができる。
また、飲み口部２及び着脱部５の両方をポリエチレンテレフタレート製とすると、唇に触れた時の感覚は劣るが、ペットボトルを飲み口具を装着した状態でゴミとして廃棄してしまった場合に問題なく処分することができる。
【実施例２】
【００１８】
図３は、ペットボトル用の飲み口具の例を示す図である。（ａ）は斜視図である。飲み口具１の外観では飲み口部２が見え、着脱部５は見えない。
（ｂ）は断面図である。着脱部５は、飲み口部２の内部に設けられている。
【実施例３】
【００１９】
図４は、飲料缶用の飲み口具の例を示す図である。（ａ）は斜視図である。着脱部８は、略円錐台状であり、下端を飲料缶の上部に着脱する。この着脱を容易にするため、着脱部８は適宜な可撓性を持つ素材、例えばプラスチック製のものである。飲料缶上縁の外溝に着脱部８を掛けて着脱することが容易である。
【００２０】
（ｂ）は斜視図である。このように、飲み口部２を飲料缶の中心の上方に配置せず、縁に寄せて配置してもよい。飲料缶のプルトップの上方に飲み口部２が置かれるようにすることで、飲料缶を傾けて飲むことが容易になる。
【００２１】
（ｃ）は斜視図である。このように、略円錐台状の形状に管状部を付した着脱部８としてもよい。
【実施例４】
【００２２】
図５は、飲料缶用の飲み口具の例を示す図である。（ａ）は斜視図である。着脱部８は、円盤状であり、下端を飲料缶の上部に着脱する。この着脱を容易にするため、着脱部８は適宜な可撓性を持つ素材、例えばプラスチック製のものである。飲料缶上縁の外溝に着脱部８を掛けて着脱することが容易である。
【００２３】
（ｂ）は斜視図である。このように、円盤状の形状に管状部を付した着脱部８としてもよい。
【産業上の利用可能性】
【００２４】
ペットボトル又は飲料缶に装着して、瓶入りの飲料を瓶から直接に飲むかのような感覚を与える飲み口具であり、多くの個人及び飲料生産者による活用が考えられる。
【符号の説明】
【００２５】
１    飲み口具
２    飲み口部
３    突起部
４    平滑部
５    着脱部
６    ねじ溝
７    ねじ山
８    着脱部
【図１】
0003170374.tif 000003
【図２】
0003170374.tif 000004
【図３】
0003170374.tif 000005
【図４】
0003170374.tif 000006
【図５】
0003170374.tif 000007